(57)【要約】【課題】異なる表示板への交換が容易な遊技台の表示装置を得る。【解決手段】異なる２つの表示板１ａ，１ｂの一方を選択して取付可能で、発光体２２，２４と、発光体２２，２４の点灯を制御する発光体制御回路２６と、異なる２つの表示板１ａ，１ｂのうちの一方を制御する第１表示回路２８及び異なる２つの表示板１ａ，１ｂのうちの他方を制御する第２表示回路３２とを１枚の基板２０に配置する。第１表示回路２８又は第２表示回路３２の一方に異なる２つから選択した表示板１ａ，１ｂを接続した。発光体２２，２４は発光ダイオードで、基板２０に、更に、遊技台３８からの情報を入力する入力回路４０を配置した。異なる２つの表示板ａ，１ｂは複数のセグメントの組み合わせにより情報を表示すると共に、それぞれユニット化される。【選択図】  図３
2007296057.tif 000002
【特許請求の範囲】
【請求項１】
発光体と、
遊技台から入力される情報に基づいて、情報を表示する表示板とを備え、設置島に配列された前記遊技台毎に設けられる遊技台の表示装置において、
異なる２つの前記表示板の一方を選択して取付可能で、
前記発光体と、前記発光体の点灯を制御する発光体制御回路と、異なる２つの前記表示板のうちの一方を制御する第１表示回路及び異なる２つの前記表示板のうちの他方を制御する第２表示回路とを１枚の基板に配置し、前記第１表示回路又は前記第２表示回路の一方に異なる２つから選択した前記表示板を接続したことを特徴とする遊技台の表示装置。
【請求項２】
前記発光体は発光ダイオードであることを特徴とする請求項１に記載の遊技台の表示装置。
【請求項３】
前記基板に、更に、前記遊技台からの情報を入力する入力回路を配置したことを特徴とする請求項１又は請求項２のいずれかに記載の遊技台の表示装置。
【請求項４】
前記発光体は、呼出スイッチの操作により点灯されることを特徴とする請求項１ないし請求項３のいずれかに記載の遊技台の表示装置。
【請求項５】
異なる２つの前記表示板は複数のセグメントの組み合わせにより前記情報を表示すると共に、それぞれユニット化されたことを特徴とする請求項１ないし請求項４のいずれかに記載の遊技台の表示装置。
【発明の詳細な説明】
【技術分野】
【０００１】
本発明は、設置島に配列された各遊技台毎に設けられ、遊技者への情報を表示する遊技台の表示装置に関する。
【背景技術】
【０００２】
従来より、設置島に配列された各遊技台毎に遊技台の表示装置が設けられており、遊技台の表示装置には、遊技場の従業員を呼び出すための呼出スイッチが設けられ、呼出スイッチを操作することにより、呼出ランプが点灯する。また、遊技台の表示装置に設けられた表示板には、種々の情報、例えば、遊技台の大当り回数、スタート回数などの情報を表示するようにしている。
【０００３】
また、特許文献１にあるように、遊技台の作動状況に応じて静的あるいは動的に表示色を変化させて、作動状況を遊技者に伝えるようにしたものも知られている。このような遊技台の表示装置では、遊技台の表示装置の中央に大当り回数やスタート回数等の数値情報を表示する表示板を設けると共に、表示板の周囲に複数の色相を有する複数のランプを設けている。これにより、大当り中か否か、確率変動中か否かをランプの色や点滅で表示して、遠くからでも遊技台の状況を知ることができる。
【特許文献１】特開２００３−８８６７１号公報
【発明の開示】
【発明が解決しようとする課題】
【０００４】
しかしながら、こうした従来のものでは、遊技台に応じた表示内容とするために、遊技台の機種等に応じて、表示板が異なり、表示板が異なるとその制御回路の構成も異なる。従って、表示板が異なる毎に、その表示板用の制御回路を組み込んだ基板を用いて、遊技台の表示装置を構成する必要があり、例えば、遊技台を交換した際に、表示板も異なるものに交換する必要が生じた場合、表示板やその制御回路を組み込んだ基板を交換しなければならず、交換が煩雑であるという問題があった。
【０００５】
本発明の課題は、異なる表示板への交換が容易な遊技台の表示装置を提供することにある。
【課題を解決するための手段】
【０００６】
かかる課題を達成すべく、本発明は課題を解決するため次の手段を取った。即ち、
発光体と、
遊技台から入力される情報に基づいて、情報を表示する表示板とを備え、設置島に配列された前記遊技台毎に設けられる遊技台の表示装置において、
異なる２つの前記表示板の一方を選択して取付可能で、
前記発光体と、前記発光体の点灯を制御する発光体制御回路と、異なる２つの前記表示板のうちの一方を制御する第１表示回路及び異なる２つの前記表示板のうちの他方を制御する第２表示回路とを１枚の基板に配置し、前記第１表示回路又は前記第２表示回路の一方に異なる２つから選択した前記表示板を接続したことを特徴とする遊技台の表示装置がそれである。
【０００７】
前記発光体は発光ダイオードであってもよい。また、前記基板に、更に、前記遊技台からの情報を入力する入力回路を配置した構成としてもよい。前記発光体は、呼出スイッチの操作により点灯される構成でもよい。あるいは、異なる２つの前記表示板は複数のセグメントの組み合わせにより前記情報を表示すると共に、それぞれユニット化された構成でもよい。
【発明の効果】
【０００８】
本発明の遊技台の表示装置は、表示板の交換が容易であるという効果を奏する。
【発明を実施するための最良の形態】
【０００９】
以下本発明を実施するための最良の形態を図面に基づいて詳細に説明する。
図１、図２に示すように、１は複数の情報を表示する表示板で、本体カバー２のほぼ中央に形成された窓に表示板１が配置されて、表示板１に表示される情報を視認することができるように構成されている。表示板１の両側には、ランプ部４，６が設けられており、表示板１と一方のランプ部４との間には呼出スイッチ８が設けられている。
【００１０】
０〜９の一桁の数値を表示する場合、数値を７つのセグメントに分割して表示することが知られており、数値を表示するために、このセグメントとしての表示単位に応じて図示しない発光素子が配置されて、表示板１が構成されている。複数のセグメントにはそれぞれ赤、緑、青の発光素子（ＬＥＤ）が並べられて配置されており、それぞれの輝度を制御することにより自由な色相を表示できる。尚、表示板１は、セグメントに限らず、ドットを格子状に並べたものでもよく、あるいは、これらを組み合わせたものでもよい。
【００１１】
表示板１に表示される情報の内容は、遊技台の種類等によって異なる場合があり、表示板１に、複数のセグメントの構成によって表示される内容が異なる第１表示板１ａと第２表示板１ｂとの異なる２つのものがある。
【００１２】
図１に示すように、第１表示板１ａは、左側のほぼ半分に、上側にはスタート回数累計を４桁の数値で表示する回数表示部１０が設けられると共に、その下側には、スタート回数の履歴を棒グラフで表示する履歴グラフ部１２が設けられている。履歴グラフ部１２はマトリックス状に発光ダイオードを並べて構成されている。また、第１表示板１ａの右側のほぼ半分には、本日、一日前、二日前の大当り回数及び確変を数値で表示する表示部１４が設けられている。
【００１３】
また、図２に示すように、第２表示板１ｂは、左側のほぼ半分に、上側にはスタート回数累計を４桁の数値で表示する回数表示部１０が設けられると共に、その下側には、スタート回数の履歴を棒グラフで表示する履歴グラフ部１６が設けられている。また、第２表示板１ｂの右側のほぼ半分には、本日の大当り回数及び確変を数値で表示する表示部１８が設けられている。
【００１４】
本実施形態では、第１表示板１ａと第２表示板１ｂとは、ユニット化されて構成されており、その大きさはほぼ同じに形成されて、例えば、同じ本体カバー２に一方を選択して取付が可能である。
【００１５】
本体カバー２内には、基板２０が設けられており、基板２０には、図３に示すように、ランプ部４，６の発光体２２，２４が取り付けられている。本実施形態では、発光体２２，２４には発光ダイオードが用いられており、複数の発光ダイオードが基板２０上に取り付けられている。また、この発光体２２，２４の点灯を制御する発光体制御回路２６が基板２０に設けられている。
【００１６】
基板２０には、更に、第１表示回路２８と第２表示回路３２とがそれぞれ設けられている。第１表示回路２８は、第１表示板１ａに対応した回路であり、電源回路と制御回路とを備え、第１表示板１ａの表示を制御するように構成されている。第２表示回路３２は、第２表示板１ｂに対応した回路であり、電源回路と制御回路とを備え、第２表示板１ｂの表示を制御するように構成されている。
【００１７】
また、基板２０には、ＣＰＵ３６が設けられており、ＣＰＵ３６には、遊技台３８からの大当り信号や確変信号等の情報が入力回路４０を介して入力されると共に、呼出スイッチ８からの信号が入力される。
【００１８】
ＣＰＵ３６は、メモリ４２に記憶されたプログラムやデータ等に基づいて、第１表示回路２８又は第２表示回路３２を介して第１表示板１ａ又は第２表示板１ｂを駆動制御すると共に、発光体制御回路２６を介して発光体２２，２４を駆動制御するように構成されている。
【００１９】
このように、１つの基板２０に、発光体制御回路２６、第１表示回路２８、第２表示回路３２、ＣＰＵ３６、入力回路４０が設けられると共に、発光体２２，２４が設けられている。１つの基板２０に、これらを設けることにより、１つの基板２０は大きくなるが、多数の回路を設けることができる。
【００２０】
例えば、両発光体２２，２４をそれぞれ設けた２つの基板と、ＣＰＵや制御回路を設けた１つの基板とにより構成すると、この１つの基板の大きさでは、発光体制御回路２６、第１表示回路２８、第２表示回路３２、ＣＰＵ３６、入力回路４０を設けることができなくなる。
【００２１】
従って、第１表示板１ａ及び第２表示板１ｂ毎に、それぞれ、発光体制御回路２６、第１表示回路２８、ＣＰＵ３６、入力回路４０を設けた１つの基板と、発光体制御回路２６、第２表示回路３２、ＣＰＵ３６、入力回路４０を設けた１つの基板とを別々に設ける必要がある。
【００２２】
そして、遊技台３８を別の機種に交換することにより、第１表示板１ａを用いた遊技台の表示装置から、第２表示板１ｂを用いた遊技台の表示装置に変更する場合、第１表示板１ａから第２表示板１ｂに交換する以外に、その基板をも交換しなければならず、交換作業が煩わしい。
【００２３】
１つの基板２０に、発光体制御回路２６、第１表示回路２８、第２表示回路３２、ＣＰＵ３６、入力回路４０、発光体２２，２４を設けることにより、基板２０は大きくなるが、この基板２０上にこれらを配置するスペースを確保できる。
【００２４】
従って、第１表示板１ａを用いた遊技台の表示装置から、第２表示板１ｂを用いた遊技台の表示装置に変更する場合、図３に実線で示す第１表示板１ａを取り外して、図３に破線で示す第２表示板１ｂを取り付け、第２表示回路に接続すればよく、交換作業が簡単になる。
【００２５】
図３に実線で示すように、第１表示板１ａを取り付けている場合、ＣＰＵ３６は遊技台３８から入力回路４０を介してスタート回数信号、大当り信号や確変信号が入力されると、これらの信号に基づいて、第１表示回路２８を介して表示板１ａにこれらに応じて加算した情報を表示させる。図３に破線で示すように、第２表示板１ｂを取り付けている場合でも、同様に、遊技台からの情報に基づいて、第２表示板１ｂに情報を表示させる。また、呼出スイッチ８が操作されたときには、発光体制御回路２６を介して、発光体２２，２４を点灯させる。
【００２６】
以上本発明はこの様な実施形態に何等限定されるものではなく、本発明の要旨を逸脱しない範囲において種々なる態様で実施し得る。
【図面の簡単な説明】
【００２７】
【図１】本発明の一実施形態としての第１表示板を取り付けた遊技台の表示装置の正面図である。
【図２】本発明の一実施形態としての第２表示板を取り付けた遊技台の表示装置の正面図である。
【図３】本実施形態の基板の構成を示すブロック図である。
【符号の説明】
【００２８】
１…表示板          １ａ…第１表示板
１ｂ…第２表示板    ２…本体カバー
４，６…ランプ部    ８…呼出スイッチ
２０…基板          ２２，２４…発光体
２６…発光体制御回路
２８…第１表示回路  ３２…第２表示回路
３８…遊技台        ４０…入力回路
【図１】
2007296057.tif 000003
【図２】
2007296057.tif 000004
【図３】
2007296057.tif 000005